(57)【要約】【課題】  遊技機本体の前面に設けられる装飾枠において上皿等を覆う膨出部の強度を高めた遊技機を提供する。【解決手段】本体枠３を外枠２側へ閉じ、更にガラス扉枠４及び装飾枠６０を本体枠３側へそれぞれ閉じることにより、装飾枠６０の膨出部６３より延設された装飾枠延設部６４，６４と外枠２の下部装飾部材６７より延設された脚状部６７ａ，６７ａとが互いに当接し、膨出部６３が装飾枠延設部６４，６４及び脚状部６７ａ，６７ａを介して外枠２にて下方から支持される支持構造が形成されるので、簡単な構造で確実に膨出部３の強度を高めることができる。よって、遊技者が膨出部６３に肘を突いた姿勢で遊技を行った場合でも、膨出部６３が破損することを防止できる。【選択図】        図１
2014240005.tif 000002
【特許請求の範囲】
【請求項１】
遊技機本体の前面の少なくとも一部を覆う装飾枠を備えた遊技機において、
前記装飾枠には前方へ膨出形成された膨出部が設けられると共に、その膨出部を前記本体にて下方から支持する支持構造が設けられたことを特徴とする遊技機。
【発明の詳細な説明】
【技術分野】
【０００１】
本発明は、パチンコ遊技機、スロットマシン、パチロット遊技機等の各種の遊技機に関するものである。
【背景技術】
【０００２】
一般に、パチンコ遊技機等の遊技機は、遊技領域を有する遊技盤が内部に組み付けられた本体枠が、矩形状の外枠に着脱自在に取り付けられて構成されている。そして、本体枠には、遊技盤に対して遊技球を発射操作可能な発射ハンドル、余剰球を受ける下皿等が前側（即ち遊技者側）に設けられると共に、遊技盤を透視可能なガラス板を装着した窓枠が開閉自在に取り付けられている。
【０００３】
従来、窓枠には、その表面を覆う成形樹脂が一体的に形成されており、その成形樹脂の表面に所望の色及び形状を施して装飾的効果を奏していた。即ち、成形樹脂は、本体枠 に取り付けられた窓枠表面や本体枠が有する下皿等の各種部品の前側をカバーすべく、遊技機前側の略全面を覆って配設されており、意匠性を向上させていた。
【０００４】
しかしながら、上記従来の遊技機においては、成形樹脂が窓枠と一体的に配設されていたため、遊技機表面における色や形状のみを変更する際には、窓枠全体を交換しなければならず、コストが悪化してしまうという問題があった。即ち、遊技盤やその他の構成部品はそのままで、窓枠の意匠のみを変更し、遊技者に対し常に新鮮な視覚効果を与えようとした場合、窓枠全体の交換を必要とし、材料費や輸送費等におけるコストが嵩んでしまうのである。
【０００５】
このような問題に鑑みて、上皿及び下皿のうち少なくとも一方を覆うとともに窓枠及び本体枠とは別体の装飾カバーを備えたパチンコ遊技機が提案されている（例えば、特許文献１参照。）。このパチンコ遊技機では、装飾カバーの左端側にヒンジが上下一対に取り付けられており、窓枠が取り付けられる本体枠に対して当該装飾カバーを垂直軸心回りに開閉自在に枢着する構成となっている。
【０００６】
一方、遊技盤を覆うガラス扉枠を開閉駆動するための開閉駆動装置を設け、上部を支点としてガラス扉枠を上下に自動で開閉可能とした遊技機が提案されている（例えば、特許文献２参照。）。かかる遊技機によれば、ガラス扉枠の装飾によって重量が増した場合にも、開閉駆動装置によってガラス扉枠を容易に開閉することができる。
【特許文献１】特開２００３−５２９８３号公報
【特許文献２】特開平９−４７５５７号公報
【発明の概要】
【発明が解決しようとする課題】
【０００７】
しかしながら、上述した特許文献１に記載の従来のパチンコ遊技機は、装飾カバーによって窓枠全体を覆う構成を採用することにより、デザイン変更等に伴って発生するコストの低減を図るものであり、従来よりも視覚的効果に優れた意匠性を提供するものではなかった。また、装飾カバーに立体的な装飾を設けた場合には、装飾カバーが本体枠に対して左端で垂直軸心回りに開閉される構造であるため、装飾カバー開放時に当該遊技機の左側に大きく出っ張って隣席の遊技者の邪魔になるという問題がある。
【０００８】
一方、特許文献２に記載の従来の遊技機では、ガラス扉枠を上下に開閉させるための開閉駆動装置を設けることによって、従来よりもコストが大幅に増大するという問題がある。また、開閉駆動装置が故障により使用できない場合があり得るだけでなく、故障発生を防止するためにメンテナンスを定期的に行う必要があり、遊技機のメンテナンスに伴う労力やコストも増大するという問題がある。さらに、ガラス板が装着されたガラス扉枠を上方へ開放させる構造では、遊技領域のメンテナンス作業等の際に作業者がガラス板に頭をぶつけて怪我をする危険性がある。すなわち、遊技機は遊技ホールにおいて遊技島に設置されるが、この時、遊技機の最上部は床から１４０ｃｍ程度の高さとなる。このため、ガラス扉枠を上方へ開放して略水平に保持した場合、ガラス板が大人の身長よりも低い１４０ｃｍ程度の高さで保持されることになる。従って、作業者が頭を下げて遊技領域のメンテナンス作業等を行っている際、身長よりも低い位置で略水平に保持されたガラス扉枠の真下で作業者が急に頭を持ち上げると、頭がガラス板にぶつかって最悪の場合にはガラス板が割れて大けがをする危険性がある。
【０００９】
さらに、近年、より効果的に遊技者の注目を集めて当該遊技機の選択を促すために、遊技機における装飾を従来よりも大型化したり立体化することが行われている。しかし、装飾を大型化すると重量が大きくなり、装飾部材自体の強度の向上が必要となるだけでなく、ひんじ等による取付部の強度も必要となる。例えば、パチンコ遊技機においては、長時間の遊技に疲れてきた場合などに、遊技者が上皿の前面を覆う装飾部材の膨出部分に肘を突いた姿勢で遊技を行う等、装飾部材に上体の体重が掛かる動作が行われやすく、当該膨出部分がより大型に形成された場合は強度が不足して、膨出部自体或いは装飾枠の取り付け部に破損が生じる危険性が高い。
【００１０】
解決しようとする課題は、遊技機本体の前面に設けられる装飾枠において上皿等を覆う膨出部の強度を高めた遊技機を提供することである。
【課題を解決するための手段】
【００１１】
以下、上記課題を解決するのに適した各手段につき、必要に応じて作用効果等を付記しつつ説明する。
１．遊技機本体の前面の少なくとも一部を覆う装飾枠を備えた遊技機において、
前記装飾枠には前方へ膨出形成された膨出部が設けられると共に、その膨出部を前記本体にて下方から支持する支持構造が設けられたことを特徴とする遊技機。
手段１によれば、本体に設けられた遊技球貯留用の上皿や操作部等を覆うために装飾枠には膨出部が前方へ膨出形成されており、その膨出部を本体にて下方から支持する支持構造が設けられているので、膨出部の強度（特に、下向きの力に対する強度）を高めることができる。よって、遊技者が膨出部に肘を突く等の動作を行って上体の体重を掛けた場合にも膨出部が破損することを防止できる。さらに、膨出部に掛かる荷重が支持構造を介して本体側にて分担されるため、装飾枠の本体に対する取り付け部分に過大な荷重が掛かることが防止され、取り付け部材（例えば、ヒンジ機構）が破損することを防止することができる。また、支持構造によって強度が増大されることにより、装飾枠において膨出部やその他の立体的装飾をさらに大型化することが可能となり、これにより優れた視覚的効果が発揮される。具体的には、遊技ホールにおいて遊技者の興味を惹きつけて当該遊技機の選択を促したり、遊技の雰囲気を盛り上げる等の効果を発揮することが期待される。
【００１２】
２．前記装飾枠は、前記本体に対して開閉可能に設けられ、
前記支持構造は、前記装飾枠を前記本体側へ閉じた際に前記膨出部を支持する支持状態とされると共に前記装飾枠を開放した際に前記支持状態が解除されることを特徴とする手段１に記載の遊技機。
手段２によれば、遊技者が遊技を行う際は装飾枠を本体側へ閉じることにより膨出部が本体にて下方から支持される支持状態とされるので、膨出部の強度が高められ、膨出部に上体の体重を掛けた場合にも破損が防止される。一方、装飾枠を本体側から開放すると膨出部の支持状態が解除されるので、遊技機のメンテナンス作業等を支障なく行うことができる。
【００１３】
３．前記装飾枠は、上方へ開放可能に構成されたことを特徴とする手段２に記載の遊技機。
手段３によれば、遊技者が遊技を行う際は装飾枠を下方の本体側へ閉じることにより膨出部が本体にて下方から支持される支持状態とされるので、膨出部の強度が高められ、膨出部に上体の体重を掛けた場合にも破損が防止される。一方、装飾枠を本体側から上方へ開放すると膨出部の支持状態が解除されるので、遊技機のメンテナンス作業等を支障なく行うことができる。また、装飾枠が上方へ開放されるので、大型の立体的装飾が形成された場合でも、隣の遊技者の邪魔になることなく大きく開放することができる。
【００１４】
４．前記支持構造が、前記本体より延設されて前記膨出部を支持する本体延設部からなることを特徴とする手段１乃至３のいずれかに記載の遊技機。
手段４によれば、装飾枠の膨出部が、本体より延設された本体延設部によって下方から支持されるので、簡単な構造で確実に膨出部の強度を高めることができる。
【００１５】
５．前記本体は、遊技領域を有する本体枠と、その本体枠の前面側にて開閉可能に設けられ且つ前記遊技領域を臨む窓部を有する窓枠と、前記本体枠を矩形開口内にて開閉可能に支持する外枠とを備え、
前記装飾枠は、前記窓枠の前面の少なくとも一部を覆うように設けられ、
前記本体延設部は、前記外枠より延設されたことを特徴とする手段４に記載の遊技機。
手段５によれば、本体枠を外枠側へ閉じ、更に窓枠を本体枠側へ閉じることにより、装飾枠の膨出部が外枠より延設された本体延設部によって下方から支持されるので、簡単な構造で確実に膨出部の強度を高めることができる。また、装飾枠により窓枠の前面の少なくとも一部を覆って窓枠と装飾枠とが前後に重層する構造を形成することによっても、強度向上及び不正行為防止が図られ、視覚的効果に優れた立体的装飾の形成が可能となる（以下、手段６，８，９，１１，１２において同様の効果が奏される）。
【００１６】
６．前記本体は、遊技領域を有する本体枠と、その本体枠の前面側にて開閉可能に設けられ且つ前記遊技領域を臨む窓部を有する窓枠とを備え、
前記装飾枠は、前記窓枠の前面の少なくとも一部を覆うように設けられ、
前記本体延設部は、前記本体枠より延設されたことを特徴とする手段４に記載の遊技機。
手段６によれば、窓枠を本体枠側へ閉じることにより、装飾枠の膨出部が本体枠より延設された本体延設部によって下方から支持されるので、簡単な構造で確実に膨出部の強度を高めることができる。
【００１７】
７．前記支持構造が、前記装飾枠の膨出部より延設されて前記本体に当接する装飾枠延設部からなることを特徴とする手段１乃至３のいずれかに記載の遊技機。
手段７によれば、装飾枠の膨出部より延設された装飾枠延設部が本体に当接することにより膨出部が下方から支持されるので、簡単な構造で確実に膨出部の強度を高めることができる。
【００１８】
８．前記本体は、遊技領域を有する本体枠と、その本体枠の前面側にて開閉可能に設けられ且つ前記遊技領域を臨む窓部を有する窓枠と、前記本体枠を矩形開口内にて開閉可能に支持する外枠とを備え、
前記装飾枠は、前記窓枠の前面の少なくとも一部を覆うように設けられ、
前記装飾枠延設部は、前記外枠に当接するように延設されたことを特徴とする手段７に記載の遊技機。
手段８によれば、本体枠を外枠側へ閉じ、更に窓枠を本体枠側へ閉じることにより、装飾枠の膨出部より延設された装飾枠延設部が外枠に当接し、膨出部が装飾枠延設部を介して外枠にて下方から支持されるので、簡単な構造で確実に膨出部の強度を高めることができる。
【００１９】
９．前記本体は、遊技領域を有する本体枠と、その本体枠の前面側にて開閉可能に設けられ且つ前記遊技領域を臨む窓部を有する窓枠とを備え、
前記装飾枠は、前記窓枠の前面の少なくとも一部を覆うように設けられ、
前記装飾枠延設部は、前記本体枠に当接するように延設されたことを特徴とする手段７に記載の遊技機。
手段９によれば、窓枠を本体枠側へ閉じることにより、装飾枠の膨出部より延設された装飾枠延設部が本体枠に当接し、膨出部が装飾枠延設部を介して本体枠にて下方から支持されるので、簡単な構造で確実に膨出部の強度を高めることができる。
【００２０】
１０．前記支持構造が、前記本体より延設された本体延設部と、前記装飾枠の膨出部より延設されて前記本体延設部と互いに当接する装飾枠延設部とからなることを特徴とする手段１乃至３のいずれかに記載の遊技機。
手段１０によれば、本体より延設された本体延設部と装飾枠の膨出部より延設された装飾枠延設部とが互いに当接することにより、膨出部が本体延設部及び装飾枠延設部を介して本体にて下方から支持されるので、簡単な構造で確実に膨出部の強度が増大される。
【００２１】
１１．前記本体は、遊技領域を有する本体枠と、その本体枠の前面側にて開閉可能に設けられ且つ前記遊技領域を臨む窓部を有する窓枠と、前記本体枠を矩形開口内にて開閉可能に支持する外枠とを備え、
前記装飾枠は、前記窓枠の前面の少なくとも一部を覆うように設けられ、
前記本体延設部は、前記外枠より延設されたことを特徴とする手段１０に記載の遊技機。
手段１１によれば、本体枠を外枠側へ閉じ、更に窓枠を本体枠側へ閉じることにより、装飾枠の膨出部より延設された装飾枠延設部と外枠より延設された本体延設部とが互いに当接し、膨出部が本体延設部及び装飾枠延設部を介して外枠にて下方から支持されるので、簡単な構造で確実に膨出部の強度を高めることができる。
【００２２】
１２．前記本体は、遊技領域を有する本体枠と、その本体枠の前面側にて開閉可能に設けられ且つ前記遊技領域を臨む窓部を有する窓枠とを備え、
前記装飾枠は、前記窓枠の前面の少なくとも一部を覆うように設けられ、
前記本体延設部は、前記本体枠より延設されたことを特徴とする手段１０に記載の遊技機。
手段１２によれば、窓枠を本体枠側へ閉じることにより、装飾枠の膨出部より延設された装飾枠延設部と本体枠より延設された本体延設部とが互いに当接し、膨出部が装飾枠延設部及び本体延設部を介して本体枠にて下方から支持されるので、簡単な構造で確実に膨出部の強度を高めることができる。
【００２３】
１３．前記本体延設部及び前記装飾枠延設部の当接部分のいずれか一方に係合凸部を設け、他方に係合凹部を設けたことを特徴とする手段１０乃至１２のいずれかに記載の遊技機。
手段１３によれば、本体延設部及び装飾枠延設部のいずれか一方に設けられた係合凸部と他方に設けられた係合凹部とが係合して、本体延設部と装飾枠延設部とが強固に接続され、膨出部が本体枠にて下方から確実に支持される。
【００２４】
１４．前記本体延設部は、遊技機が載置される床面に当接するように設けられたことを特徴とする手段４乃至６又は１０乃至１３のいずれかに記載の遊技機。
手段１４によれば、遊技機を床面（遊技機島台の載置面）に載置した際に、本体延設部が床面に当接しているので、装飾枠の膨出部がより強固に支持され、膨出部に変形や破損が生じることを一層確実に防止することができる。
【００２５】
１５．前記本体延設部の下面に弾性体が設けられていることを特徴とする手段１４に記載の遊技機。
手段１５によれば、本体延設部の下面に弾性体が設けられているので、本体延設部はより安定して装飾枠を支持することができると共に、床面の段差を弾性体により吸収することができる。
【００２６】
１６．前記支持構造は、前記膨出部を左右両側で支持するように構成されたことを特徴とする手段１乃至１５のいずれかに記載の遊技機。
手段１６によれば、支持構造が膨出部を左右両側で安定して支持することができると共に、荷重が左右両側で分担されるため支持構造への負荷を軽減することができる。
【００２７】
１７．前記遊技機は、パチンコ遊技機であることを特徴とする手段１乃至１６のいずれかに記載の遊技機。
手段１７によれば、装飾枠に本体側の上皿等を覆う膨出部が形成されたパチンコ遊技機において、膨出部を本体にて下方から支持する支持構造によって膨出部の強度が高められ、膨出部に上体の体重を掛ける動作を行った場合にも膨出部が破損することを防止できる。
【００２８】
１８．前記遊技機は、複数種類の図柄が表示された複数の回転リールを有し、前記各回転リールの回転停止時の図柄の組合わせに基づく入賞態様に応じて遊技球が払い出されるパチロット遊技機であることを特徴とする手段１乃至１６のいずれかに記載の遊技機。
手段１３によれば、装飾枠に本体側の上皿や操作部等を覆う膨出部が形成されたパチロット遊技機において、膨出部を本体にて下方から支持する支持構造によって膨出部の強度が高められ、膨出部に上体の体重を掛ける動作を行った場合にも膨出部が破損することを防止できる。
【００２９】
１９．前記遊技機は、スロットマシンであることを特徴とする手段１乃至１６のいずれかに記載の遊技機。
手段１９によれば、装飾枠に本体側の操作部や遊技メダル用受皿等を覆う膨出部が形成されたスロットマシンにおいて、膨出部を本体にて下方から支持する支持構造によって膨出部の強度が高められ、膨出部に上体の体重を掛ける動作を行った場合にも膨出部が破損することを防止できる。
【発明の効果】
【００３０】
本発明によれば、本体に設けられた遊技球貯留用の上皿や操作部等を覆うために装飾枠には膨出部が前方へ膨出形成されており、その膨出部を本体にて下方から支持する支持構造が設けられているので、膨出部の強度（特に、下向きの力に対する強度）を高めることができる。よって、遊技者が膨出部に肘を突く等の動作を行って上体の体重を掛けた場合にも膨出部が破損することを防止できる。さらに、膨出部に掛かる荷重が支持構造を介して本体側にて分担されるため、装飾枠の本体に対する取り付け部分に過大な荷重が掛かることが防止され、取り付け部材（例えば、ヒンジ機構）が破損することを防止することができる。また、支持構造によって強度が増大されることにより、装飾枠において膨出部やその他の立体的装飾をさらに大型化することが可能となり、これにより優れた視覚的効果が発揮される。具体的には、遊技ホールにおいて遊技者の興味を惹きつけて当該遊技機の選択を促したり、遊技の雰囲気を盛り上げる等の効果を発揮することが期待される。
【図面の簡単な説明】
【００３１】
【図１】第一の実施形態としてのパチンコ機の正面図である。
【図２】（ａ）はパチンコ機の側面図であり、（ｂ）は装飾枠及びガラス扉枠の上部を側面視して示す断面図である。
【図３】パチンコ機の上面図である。
【図４】パチンコ機の背面側における斜視図である。
【図５】装飾枠及びガラス扉枠を開放した状態における本体枠、遊技盤等を示す正面図である。
【図６】ガラス扉枠を示す正面図である。
【図７】ガラス扉枠を示す背面図である。
【図８】（ａ）は上皿付近の上面図であり、（ｂ）はＡ−Ａ線断面図である。
【図９】上皿における遊技球の流れを示す上面図である。
【図１０】（ａ）は装飾枠本体全体を示す正面図であり、（ｂ）は装飾枠本体上部の張出し部を透視して示す正面図である。
【図１１】（ａ）は装飾枠のベース部材を示す正面図であり、（ｂ）は図柄変動表示装置における表示例を示す図であり、（ｃ）は装飾枠本体が立脚部においてベース部材に対して固定される様子を示す断面図である。
【図１２】装飾枠を上方へ開放した状態を示す側面図である。
【図１３】（ａ）装飾枠が開放位置に保持された状態を示す側面図であり、（ｂ）は装飾枠とガラス扉枠との係合状態を示す拡大断面図である。
【図１４】パチンコ機と遊技者の視界との関係を模式的に示す上面図である。
【図１５】第二の実施形態としてのパチロット機の正面側における斜視図である。
【図１６】パチロット機の装飾パネルを本体枠側へ閉じた状態を示す側面図である。
【図１７】（ａ）は装飾パネルのベース部材を示す正面図であり、（ｂ）は装飾パネル本体が立脚部においてベース部材に対して固定される様子を示す断面図である。
【図１８】パチロット機の装飾パネルを上方へ開放した状態を示す側面図である。
【図１９】パチロット機の装飾パネルにおける張出し部付近を示す正面図である。
【図２０】図１９におけるＣ−Ｃ線断面及び装飾パネルと遊技者との位置関係を示す側面図である。
【図２１】第三の実施形態としてのスロットマシンの正面図である。
【図２２】スロットマシンの装飾パネルを本体キャビネット側へ閉じた状態を示す側面図である。
【図２３】スロットマシンの装飾パネルを上方へ開放した状態を示す側面図である。
【図２４】パチロット機（又はスロットマシン）を用いた情報提供システムの全体構成を示すシステム構成図である。
【図２５】情報表示部において新台入れ替え情報を表示した例を示す図である。
【図２６】第一の実施形態の第一の変形例を示す正面図である。
【図２７】（ａ）は第一の実施形態の第二の変形例における装飾枠本体全体を示す正面図であり、（ｂ）は装飾枠本体上部の張出し部を透視して示す正面図である。
【図２８】第二の変形例において装飾枠を上方へ開放した状態を示す側面図である。
【図２９】第二の変形例のパチンコ機の側面図である。
【図３０】第三の変形例のパチンコ機の側面図である。
【図３１】第四の変形例のパチンコ機において脚状部によって貯留箱が下皿の真下に案内される様子を模式的に示す平面図である。
【図３２】第五の変形例のパチンコ機の下部側面図である。
【図３３】第六の変形例のパチンコ機の下部側面図である。
【図３４】第七の変形例のパチンコ機の下部側面図である。
【図３５】第八の変形例のパチンコ機の下部側面図である。
【図３６】第九の変形例のパチンコ機の下部側面図である。
【発明を実施するための形態】
【００３２】
以下、本発明の遊技機を具体化した各実施形態について説明する。最初に、第一の実施形態であるパチンコ遊技機（以下、単に「パチンコ機」と称する）１について説明する。パチンコ機１は、内部の遊技球払い出し機構を利用して遊技球の貸し出しを行うＣＲ機と称されるタイプのパチンコ機であり、図１に示すように、カードユニット２０が隣接配置され且つ電気的に接続されている。カードユニット２０は、予め金額情報が記録された価値媒体としての図示しないプリペイドカードを投入可能なカード投入口２１を有し、プリペイドカードから金額情報の読み出し及び書き込みが可能となっている。
パチンコ機１は、図１乃至図４に示すように、外枠２と、その外枠２の前部に設けられ外枠２の一側部にて開閉可能に支持され且つ遊技領域１４を有する本体枠３とを備えている。外枠２は、パチンコ機１のベースとなる枠であり、板材により全体として矩形状に構成され、本体枠３を矩形開口内にて開閉可能に支持している。また、外枠２前面下部には、合成樹脂、具体的にはＡＢＳ（アクリロニトリル−ブタジエン−スチレン）樹脂からなり、前方へ突出形成された左右一対の脚状部６７ａ，６７ａを有する下部装飾部材６７が取り付けられている。また、左右一対の脚状部６７ａ，６７ａの下面には弾性体としてのゴム部材６７ｃ，６７ｃが取り付けられており、脚状部６７ａ，６７ａがゴム部材６７ｃ，６７ｃにてパチンコ機１が載置される床面（遊技機島台の載置面）に当接するように設けられている。尚、本実施の形態では、外枠２は木製であって、上下方向の長さは８０８ｍｍ、左右方向の長さは５２０ｍｍとなっている。また、脚状部６７ａ，６７ａが、本発明の本体延設部を構成するものである。
【００３３】
本体枠３は、合成樹脂、具体的にはＡＢＳ樹脂により構成されている。本体枠３の開閉軸線はパチンコ機１の正面から見て左側に上下に延びるように設定されている。尚、外枠２は樹脂により構成されていてもよく、あたかも外枠２及び本体枠３が一体物に見えるように構成されていてもよい。
【００３４】
本体枠３には、後述する下皿ユニット５１を除く本体枠３の前面側を覆うように、ガラス扉枠４が本体枠３左端の垂直軸心回りに開閉自在に設けられている。さらに、本体枠３には、装飾枠６０が本体枠３上端の水平軸心回りに開閉自在に設けられている。尚、ガラス扉枠４が本発明の窓枠を構成するものであり、装飾枠６０を除き、外枠２、本体枠３及びガラス扉枠４を主要構成とするパチンコ機１の全ての部分が、本発明の遊技機本体を構成するものである。
【００３５】
本体枠３の後側（ガラス扉枠４の奥、外枠２の内側）には、図５に示すように、遊技盤５が着脱可能に装着されている。なお、遊技盤５は、その周縁部が本体枠３の裏側に当接した状態で取り付けられており、図５では、遊技盤５の前面部の略中央部分だけが本体枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、スルーチャッカー１０等が配設されている。
【００３６】
尚、後述する図柄変動表示装置５７の制御を行う表示制御基板や、スピーカ５９における音声出力の制御を行う音声制御基板を含む各種の制御基板は、図４に示すように、遊技盤５の背面側に設けた透明樹脂製の裏パック５ａによって覆われている。また、パチンコ機１の主制御を行うメイン基板はメイン基板ボックス５ｂに、入賞による遊技球の払い出しやカードユニット２０からの貸し出し要求に基づいて遊技球の払い出しを行う払出ユニット５ｄ及び遊技球の発射を行う発射装置３１の制御を行う払出発射制御基板は払出発射制御基板ボックス５ｃにそれぞれ収納されている。
【００３７】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生がスピーカ５９から出力される効果音によって報知される。
【００３８】
また、周知のとおり、前記一般入賞口６、可変入賞装置７、作動チャッカー８に遊技球Ｂが入賞することに基づいて、後述する上皿５４（場合によっては下皿５３）に対し所定数の遊技球が景品球として払い出されるようになっている。また、遊技盤５には、遊技球Ｂの落下方向を適宜分散、調整等するために多数の釘が植設されているとともに、風車９等の各種部材（役物）が配設されている。
【００３９】
さて、本体枠３は、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００４０】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、本体枠３の内周側の窓孔によって主として遊技領域の外延が確定されており、本体枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている（図７参照）。
【００４１】
次に、遊技領域１４について説明する。本実施の形態では、遊技領域１４を、パチンコ機１の正面から見て、内レール１２及び外レール１３によって囲まれる領域のうち、内外レール１２，１３の並行部分である誘導レールの領域を除いた領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。
【００４２】
併せて、図１及び図６に示すように、ガラス扉枠４の存在していない本体枠３下部は、例えばＡＢＳ（アクリロニトリル−ブタジエン−スチレン）樹脂よりなる下皿ユニット５１となっている。下皿ユニット５１の右下部からは、遊技球発射用ハンドル５２が手前側に延設されている。また、下皿ユニット５１のほぼ中央部には球受け皿としての景品球払出用の下皿５３が設けられている。さらに、下皿ユニット５１には下皿５３の左側に隣接して灰皿５６が設けられている。
【００４３】
次に、ガラス扉枠４について、図６及び図７を参照しつつ説明する。ガラス扉枠４には、前記遊技領域１４の殆どを外部から視認することができるように略楕円形状の窓部４１が形成されている。具体的には、前記窓部４１は、その左右側の略中央部が、上下側に比べて比較的緩やかに湾曲した形状となっている。なお、前記略中央部が直線状になるようにしてもよい。本実施の形態において、前記窓部４１の上端（外レール１３の最上部、遊技領域の上端）と、ガラス扉枠４の上端との間の距離（いわゆる上部フレーム部分の上下幅）は５０ｍｍとなっており、８５ｍｍ〜９５ｍｍ程度上部フレーム幅がある従来技術に比べ、著しく短くなっている。なお、上記距離は、８０ｍｍ以下であることが望ましく、より望ましくは７０ｍｍ以下であり、さらに望ましくは６０ｍｍ以下である。勿論、所定の強度が確保できるのであれば、５０ｍｍ以下であっても差し支えない。
【００４４】
また、窓部４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、図１及び図７を相互に比較すると明らかなように、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域１４に案内される通過点に過ぎず、遊技者が主として遊技を楽しむ遊技領域において遊技球Ｂが視認困難となるわけではない。そのため、実際の遊技に際しては何ら支障が生じない。また、このような支障が生じない一方で、ガラス扉枠４の十分な強度及び支持強度が確保可能となっている。ちなみに、外レール１３の左端位置と外枠２の左端位置との左右方向の距離は２１ｍｍ、遊技領域の右端位置（内レール１２の右端位置）と外枠２右端位置との左右方向の距離は４４ｍｍとなっている。また、ガラス扉枠４には、図７に示すように、その左右フレーム部分の裏側において、そのガラス扉枠４を補強するための例えば金属製の補強部材４３，４４が取り付けられている。
【００４５】
また、ガラス扉枠４の開閉軸線（軸支部）もパチンコ機１の正面から見て左側に上下に延びるように設定されている。詳しくは、ガラス扉枠４の背面図である図７に示すように、ガラス扉枠４の裏側から見て右側の上端部付近に回動軸９１が設けられ、図７に示すように本体枠３の正面から見て左側の上端部付近には回動軸９１が嵌め込まれる軸受部９２が設けられている。また、軸受部９２の下方には、上方に突出する突回動軸９３が設けられ、ガラス扉枠４の下側面には、前記回動軸９１の下方位置において、前記突回動軸９３を嵌め込むための図示しない軸受凹部が設けられている。そして、突回動軸９３を前記軸受凹部に嵌め込み、回動軸９１を軸受部９２に嵌め込むことによって、ガラス扉枠４が軸支され開閉可能となる。このように本実施の形態では、回動軸９１と突回動軸９３を結ぶ線がガラス扉枠４の開閉軸線として設定されている。
【００４６】
また、ガラス扉枠４には、裏側から一対のガラス板４２が並行して取り付けられている。ガラス扉枠４の左右方向の長さは、本体枠３とほぼ同等であり、そのガラス扉枠４によって本体枠３下部に設けられた下皿ユニット５１を除く殆どの部分が覆われるようになっている。
【００４７】
ガラス扉枠４における窓部４１下方の下部フレームには、上皿５４が一体的に設けられている。上皿５４は、合成樹脂を成形することによって製造され、ガラス扉枠４の払出し口４５より払い出された遊技球及び遊技者により投入された遊技球を貯留する貯留部５４ａ、払出し口４５より払い出された遊技球を貯留部５４ａへ流入させる流入口５４ｌ、及び貯留部５４ａに貯留された遊技球をガラス扉枠４の供給穴４９を通して発射装置３１側へ供給する供給口５４ｒを有し、流入口５４ｌ及び供給口５４ｒの後端面においてガラス扉枠４にビス等を用いて取り付け固定されている。
【００４８】
上皿５４の貯留部５４ａは、流入口５４ｌ及び供給口５４ｒに連続する底面部５４ｂと、底面部５４ｂの周囲を取り囲むように立設された前壁部５４ｃと、底面部５４ｂを挟んで前壁部５４ｃと対向するように流入口５４ｌと供給口５４ｒとの間に立設され且つ前壁部５４ｃ側へ凸状となるようにに湾曲形成された後壁部５４ｄとを有している。底面部５４ｂは、左右方向に細長く且つガラス扉枠４から前方へ張り出すように形成されている。また、底面部５４ｂ後部の流入口５４ｌと供給口５４ｒとの間には前方側へ凹状をなす凹状輪郭部５４ｕが形成され、上述した後壁部５４ｄは凹状輪郭部５４ｕに沿って立設されている。後壁部５４ｄは、左右方向中央部でガラス扉枠４より数十ｍｍ程度（例えば、３０〜５０ｍｍ）前方側へ離間しており、後壁部５４ｄ背面とガラス扉枠４前面との間に空間部５４ｈが形成される構造となっている。尚、図８（ａ）は上皿５４の平面図、（ｂ）は（ａ）の上皿５４のＡ−Ａ線断面図である。
【００４９】
貯留部５４ａの底面部５４ｂ上には、後壁部５４ｄの右側に、遊技球を一列に整列させて供給口５４ｒより供給穴４９を通して発射装置３１側へ流下させる整流部５４ｅが設けられている。整流部５４ｅには、遊技球を後述する直線部５４ｆへ誘導するための傾斜壁５４ｋが、直線部５４ｆを挟んで前壁部５４ｃ側及び後壁部５４ｄ側に形成されており、遊技球の流路が徐々に狭まる構造となっている。また、整流部５４ｅには、底面部５４ｂ上で前後方向に延設され且つ前方側から供給穴４９の位置する後方側に向かって下り傾斜する直線部５４ｆが設けられ、この直線部５４ｆの底面に細長い長方形状の金属板５４ｍが装着されている。金属板５４ｍは、遊技球の流れをスムーズにする機能、底面を補強して摩擦による削れを防止する機能、ノイズを防止する機能等を有している。また、金属板５４ｍの下流端側には球抜き穴５４ｊが形成されている。この球抜き穴５４ｊは、通常の状態において直線部５４ｆの底面裏側をスライド自在に設けられる開閉弁５４ｉによって閉塞されており、開閉弁５４ｉが前壁部５４ｃに設けられる球抜きレバー５４ｇの操作により移動されたときに、球抜き穴５４ｊが開放されて貯留部５４ａ内に貯留されていた遊技球を図示しない球抜き通路を介して下皿５３に移動せしめるものである。
【００５０】
ここで、上皿５４の貯留部５４ａにおける遊技球Ｂの流れについて、図９を参照しつつ説明する。遊技球Ｂは、払出口４５より払い出されると流入口５４ｌより貯留部５４ａ内に流入し、緩やかに右下がりに傾斜する底面部５４ｂと、前壁部５４ｃ及び後壁部５４ｄとに案内されて貯留部５４ａ右側の供給口５４ｒへ向かって転動して整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは整流部５４ｅの直線部５４ｆを挟んで両側に設けられた傾斜壁５４ｋによって誘導されて一列に整列されると共に、直線部５４ｆ上を下り傾斜する後方側（ガラス扉枠４側）へ転動して金属板５４ｍの下流端より供給穴４９へ流下する。供給穴４９から球送り装置４８へ供給された遊技球は、１個ずつ発射レール３３に導かれ、発射装置３１によって発射される。
【００５１】
次に、装飾枠６０について、図１０乃至図１３を参照しつつ説明する。装飾枠６０は、合成樹脂の成形加工により四方連携状に形成され且つ背面の各コーナー近傍（４箇所）に立脚部６０ｆが突設された装飾枠本体６０Ａと、鋼材やアルミダイキャスト等の金属材料によりガラス扉枠４の窓部４１を囲むフレーム状に形成され且つ装飾枠本体６０Ａの立脚部６０ｆに取り付け固定されるベース部材６０Ｂとを備え、ガラス扉枠４の窓部４１の隠蔽を回避しつつ、ガラス扉枠４の前側表面の略全域を立ち上がった状態で覆うよう構成されている。ここで、図１０（ａ）は、装飾枠本体６０Ａの正面図であり、（ｂ）は装飾枠本体６０Ａ上部の張出し部６１を透視して示す正面図である。また、図１１（ａ）は、ベース部材６０Ｂを示す正面図である。尚、装飾枠本体６０Ａは、各コーナー近傍（４箇所）に突設された立脚部６０ｆにおいてベース部材６０Ｂ前面に固定される。具体的には、装飾枠本体６０Ａの各立脚部６０ｆにネジ孔６０ｇが形成され、ビス６０ｈを背面側からベース部材６０Ｂの各コーナー（４箇所）に形成された取り付け孔６０ｅを通してネジ孔６０ｇに螺着することによって装飾枠本体６０Ａがベース部材６０Ｂに固定される（図１１（ｃ）参照）。
【００５２】
ベース部材６０Ｂ上部中央には、図１１（ａ）に示すように、窓部４１上端に図柄変動表示装置５７が配設されている。図柄変動表示装置５７は、液晶ディスプレイを備え、例えば、図１１（ｂ）に示すように、左図柄列、中図柄列及び右図柄列の３つの表示列が画面表示される。各図柄列は複数の図柄によって構成されており、これら図柄が各図柄列毎にスクロールされるように表示画面に可変表示されるようになっている。尚、図柄変動表示装置５７は、液晶ディスプレイからなるので、高精細で見易い画面表示を行うことができる。
【００５３】
ベース部材６０Ｂ下部中央には、遊技球の貸し出しに関する操作を行うための貸球操作部４６が配設されている。貸球操作部４６は、図１及び図１１（ａ）に示すように、遊技球の貸し出し可能状態をランプによって示す貸出ボタンランプ４６ａ、遊技球の貸し出しを行うための貸出ボタン４６ｂ、プリペイドカードの返却を行うための返却ボタン４６ｃ、プリペイドカードの残り度数を表示する度数表示ＬＥＤ４６ｄとを備えている。遊技者は、後述する装飾枠本体６０Ａの操作部用開口部６０ｃを介して露出する貸球操作部４６各部の視認及び貸出ボタン４６ｂや返却ボタン４６ｃの操作を行うことができる（図１参照）。
【００５４】
装飾枠本体６０Ａ上部中央には、図１０に示すように、逆台形状の表示用切り欠き６０ａが形成され、ベース部材６０Ｂ上に配設された図柄変動表示装置５７が表示用切り欠き６０ａにおいて前面側に露出し、遊技者より視認可能とされる。装飾枠本体６０Ａ前面上部には、前方へ張り出し状に形成され且つベース部材６０Ｂを介してガラス扉枠４との間に空間部６１ｈを有する張出し部６１が設けられている。張出し部６１は、装飾枠本体６０Ａの左右両端を跨ぐアーチ状の外観を呈しており、中央では前方に数ｃｍ〜十数ｃｍ程度張り出している（図２（ｂ），図３参照）。装飾枠本体６０Ａの略中央には、略円形状の窓部用開口部６０ｂが形成され、ガラス扉枠４の窓部４１に装着されたガラス板４２を介して遊技領域１４を視認可能となっている。
【００５５】
窓部用開口部６０ｂの周囲には、各種ランプ、ＬＥＤ等の発光手段を備えた電飾部材６２が設けられている。これら電飾部材６２は、大当り時や所定のリーチ時等の遊技状態の変化に応じて点灯、点滅のように発光手段の発光態様が変更制御され遊技中の演出効果を高める役割を果たすようになっている。勿論、これら電飾部材６２を、ガラス扉枠４に設ける構成や遊技盤５に設ける構成（コーナー飾りと称される電飾部材６２を遊技盤５のコーナー部等に配設する）としてもよいし、場合によっては本体枠３に設ける構成としてもよい。更には、前後一対のガラス４２間に配設する構成としてもよい。
【００５６】
装飾枠本体６０Ａの窓部用開口部６０ｂの下方には、逆台形状の操作部用開口部６０ｃが形成され、ベース部材６０Ｂ上に配設された貸球操作部４６が操作部用開口部６０ｃにおいて前面側に露出している。装飾枠本体６０Ａの操作部用開口部６０ｃよりもさらに下方には、上皿５４前面を覆うように前方へ膨出形成された膨出部６３が設けられている。膨出部６３は、図９に示すように、装飾枠６０がガラス扉枠４に対して閉じた際に上皿５４を収容可能な空間が内部に形成されつつ、所望形状で前側（遊技者側）に膨出形成されたものであり、上皿５４上面を開口させる上皿用開口部６３ａが形成されている。この上皿用開口部６３ａにより、上皿５４に貯留された遊技球を取り出したり、或いは上皿５４の貯留部に遊技球を補充したりすることができる。また、膨出部６３の前面右寄りにレバー用開口部６３ｂが形成されている。上皿５４前面に配設された球抜きレバー５４ｇは、レバー用開口部６３ｂより前面側に露出し、遊技者によって左右にスライド操作可能とされる。また、膨出部６３には、左右において下方へ延設された一対の装飾枠延設部６４，６４が設けられている。本体枠３を外枠２側へ閉じ、更に装飾枠６０を本体枠３に対して閉じた際に、装飾枠延設部６４，６４が外枠２下部前面の左右に設けられた脚状部６７ａ，６７ａにてそれぞれ当接支持される。
【００５７】
尚、装飾枠延設部６４，６４下面に係合凸部６４ａ，６４ａが、下部装飾部材６７の脚状部６７ａ，６７ａ上面に係合凹部６７ｂ，６７ｂがそれぞれ整合するように設けられている。従って、装飾枠６０と下部装飾部材６７とを閉状態とした際に、係合凸部６４ａ，６４ａと係合凹部６７ｂ、６７ｂとが係合して装飾枠６０が脚状部６７ａ，６７ａにて強固に支持される。
【００５８】
また、本体枠３が外枠２に対し閉じられると自動的にロックがかかるようになっており、所定のキー操作が行われることによりロックが解除されるようになっている。同様に、ガラス扉枠４が本体枠３に対し閉じられると自動的にロックがかかり、別途のキー操作が行われることによりロックが解除されるようになっている。さらに同様に、装飾枠６０が本体枠３に対し閉じられると自動的にロックがかかり、別途のキー操作が行われることによりロックが解除されるようになっている。このようにロック及びロック解除を行うためのロック機構が本体枠３の右下部、つまり下皿ユニット５１の右端部に設けられている。ロック機構には、鍵穴を有するキーシリンダ（解除キー）５５、本体枠３及び外枠２間でのロック及び解除を行うための第２ロック機構が含まれる。本実施の形態では、最も幅狭で、遊技領域の拡張を阻害する本体枠の右中央部ではなく、比較的にスペースにゆとりのある本体枠３の右下部に、キーシリンダ５５をはじめとする上記ロック機構（特にキーシリンダ５５）が配設されている。換言すれば、キーシリンダ５５は、遊技領域の最大幅となる位置を避けて配置されている。このような構成により、遊技領域の拡張をより容易且つ確実に図ることができる。
【００５９】
勿論、最も幅狭な部分以外であれば、上記以外の部位に設けてもよく、例えば、本体枠３の右上部に設けるような構成としてもよい。また、上記例では、第１ロック機構及び第２ロック機構をキーシリンダ５５でともにロック状態を解除可能としたが、それぞれの解除のためのキーシリンダを別体で設けることとしてもよい。
【００６０】
また、ベース部材６０Ｂ上端には、折り曲げ板形状のヒンジ６５が左右一対に取り付けられており、装飾枠６０はヒンジ６５を介して本体枠３に対して水平軸心回りに（すなわち、上下に）開閉自在に枢着されている。尚、ヒンジ６５はベース部材６０Ｂ上端に配設されているが、これに代えて上部の左右両側面に配設してもよい。ここで、図１２は、装飾枠６０が上方へ開放されて水平姿勢となった状態を示している。また、図１３（ａ）は、装飾枠６０を上方に開放すると共にガラス扉枠４を左側へ開放し、この状態で装飾枠６０をガラス扉枠４の上端で支持させることにより、装飾枠６０を開放位置に保持した様子を示す図である。具体的には、図１３（ｂ）に示すように、ベース部材６０Ｂ背面に係合突起６０ｄが、ガラス扉枠４上端に係合突起６０ｄに整合する係合凹部４ａがそれぞれ形成され、係合突起６０ｄと係合凹部４ａとが係合することにより、上方に開放された装飾枠６０がガラス扉枠４上端に載置された状態が保持される。
【００６１】
ここで、パチンコ機１と遊技者の視界との関係について、図１４を参照しつつ説明する。図１４に示すように、装飾枠６０の窓部用開口部６０ｂは、ガラス扉枠４の窓部４１よりも一回り小さい開口となっている。つまり、装飾枠６０の窓部開口部６０ｂを正面視でガラス扉枠４の窓部４１に一部が重なるように形成されている。尚、遊技領域１４は、図１４に示すように、遊技者により所定の視野角を持って視認され、遊技領域１４の周縁部に対して遊技者の視線が斜めに注がれるので、装飾枠本体６０Ａが遊技者の視界を妨げることがなく、装飾枠開口部６０ｂを通して遊技領域１４全体が視認される。
【００６２】
以上詳述したことから明らかなように、本実施形態によれば、本体枠３を外枠２側へ閉じ、更にガラス扉枠４及び装飾枠６０を本体枠３側へそれぞれ閉じることにより、装飾枠６０の膨出部６３より延設された装飾枠延設部６４，６４と外枠２の下部装飾部材６７より延設された脚状部６７ａ，６７ａとが互いに当接し、膨出部６３が装飾枠延設部６４，６４及び脚状部６７ａ，６７ａを介して外枠２にて下方から支持される支持構造が形成されるので、簡単な構造で確実に膨出部６３の強度（特に、下向きの力に対する強度）を高めることができる。よって、遊技者が膨出部６３に肘を突く等の動作を行って上体の体重を掛けた場合にも膨出部６３が破損することを防止できる。さらに、膨出部６３に掛かる荷重が支持構造を介して本体側（外枠２）にて分担されるため、装飾枠６０の本体枠３に対する取り付け部分に過大な荷重が掛かることが防止され、ヒンジ６５が破損することを防止することができる。また、上述した支持構造によって強度が増大されることにより、装飾枠６０において膨出部６３やその他の立体的装飾をさらに大型化することが可能となり、これにより優れた視覚的効果が発揮される。具体的には、遊技ホールにおいて遊技者の興味を惹きつけて当該パチンコ機１の選択を促したり、遊技の雰囲気を盛り上げる等の効果を発揮することが期待される。尚、下部装飾部材６７の左右に設けられた脚状部６７ａ，６７ａの中間に空間が形成されるため、遊技球を貯留するための貯留箱（いわゆるドル箱）を遊技機島台上でパチンコ機１の手前中央に載置することができる。
【００６３】
また、装飾枠６０がガラス扉枠４側へ突設された立脚部６０ｆを有するので、装飾枠６０がガラス扉枠４から立ち上がった構造が形成され、ガラス扉枠４と装飾枠６０との二段構成からなる立体的装飾を容易に形成することができる。そして、装飾領域が拡大されることにより、遊技ホールにおいて遊技者の注目を集めたり、遊技の雰囲気を盛り上げる等の効果が発揮される。また、装飾枠６０が四方連携状に形成されることによって、遊技機前面の少なくとも一部を構成する装飾枠６０において強度を確保することができるので、製品輸送やホール設置に伴う作業負荷や遊技ホールで遊技者が装飾枠に手を置いたり乱暴な扱いをするなどの行為によって装飾枠６０が破損することを確実に防止可能である。
【００６４】
また、装飾枠６０には窓部用開口部６０ｂが設けられているので、遊技者は窓部用開口部６０ｂより奥まって位置するガラス扉枠４の窓部４１を介して遊技領域１４を確実に視認することができる。また、装飾枠６０に開口部を設けるとその周囲が強度不足となり易いが、窓部用開口部６０ｂを囲んで四方連携状に形成されているので確実に強度を確保することができる。さらに、装飾枠６０の窓部用開口部６０ｆを囲んで連続的に装飾を施すことができるので、視覚的効果に優れた装飾の形成が可能である。
【００６５】
また、装飾枠６０の窓部用開口部６０ｂが正面視でガラス扉枠４の窓部４１に一部が重なるように形成されることによって装飾枠６０の表面積を大きく確保可能であり、装飾枠６０に設けられる装飾の大型化や設計上の自由度が向上される。また、正面視で装飾枠６０の窓部用開口部６０ｂとガラス扉枠４の窓部４１とが周縁部近傍で重なっていても、遊技領域４１は遊技者により所定の視野角を持って視認され、遊技領域４１の周縁部に対して遊技者の視線が斜めに注がれるので、装飾枠６０が遊技者の視界を妨げることがなく、装飾枠６０の窓部用開口部６０ｂを通して遊技領域４１全体が視認される（図１４参照）。
【００６６】
また、四方連携状に形成された装飾枠６０の各コーナー近傍に立脚部６０ｆが設けられ、装飾枠６０が各コーナー近傍の四点で立ち上がる構造が形成されることにより、装飾枠６０のガラス扉枠４に対する安定性向上が図られ、装飾枠６０が傾いたり、がたついたりすることを防止することができる。
【００６７】
また、装飾枠６０が立脚部６０ｆにおいてガラス扉枠４から立ち上がっているので、ガラス扉枠４の形状に拘らずに開閉可能な構造を実現することができる。すなわち、装飾枠６０がガラス扉枠４を略密着状に覆う構造では、装飾枠６０を円滑に開閉可能とするためにガラス扉枠４の形状（例えば、突出部分の高さや形状）が制約されるが、装飾枠６０が立脚部６０ｆのみにおいてガラス扉枠４から立ち上がる本実施形態の構造では、ガラス扉枠４上に適宜設けられたポイントに立脚部６０ｆを当接させればよいので、ガラス扉枠４の形状に関する自由度が極めて高い。また、装飾枠６０とガラス扉枠４との独立性が高いため、装飾枠６０をこじ開ける等の不正が試みられた場合でも、ガラス扉枠４には影響が及ばないので、ガラス扉枠４が有する遊技領域４１への不正なアクセスに対する防止機能が損なわれることがない。また、装飾枠６０がガラス扉枠４から立ち上がっているため、ヒンジ機構等の配設スペースを容易に確保でき、開閉可能な構造を容易に実現することができる。さらに、装飾枠６０を四方連携状とすることにより強度が確保されているので、装飾枠６０の開閉による破損を防止できる。
【００６８】
また、装飾枠６０が本体枠３に対して開閉可能に取り付けられており、装飾枠６０がガラス扉枠４によって支持されていないので、ガラス扉枠４側の重量負荷が軽く、ガラス扉枠４の強度を極端に高めることなく装飾枠６０に大型の装飾を形成することが可能となる。さらに、装飾枠６０とガラス扉枠４とで重量が分担されるので、装飾枠６０及びガラス扉枠４をそれぞれ軽く開閉することができ、メンテナンス作業等を行う作業者の負担が軽減される。
【００６９】
また、装飾枠６０は重量の大きいガラス板４２を有しないため相対的に軽量であり、小さな力で装飾枠６０を上下に軽く且つ安全に開閉することができる。よって、電動で装飾枠を開閉するための開閉駆動装置等を設ける必要がなく、遊技機全体の構成が複雑化せず且つコストを低く抑えることができる。また、ガラス板が装着されたガラス扉枠が上方に開放される従来構成では、作業者がガラス板に頭をぶつける危険性があるが、本実施形態によればそのような危険性はなく、安全性が高い。さらに、装飾枠６０が本体枠３に対して上方に開放されるので、装飾枠６０に大型の立体的装飾が施された場合でも、隣の遊技者の邪魔にならずに装飾枠６０を大きく開放することができる。一方、装飾枠６０を上方へ開放すると膨出部６３の支持状態が解除されるので、パチンコ機１のメンテナンス作業等を支障なく行うことができる。
【００７０】
また、電飾部材６２、図柄変動表示装置５７などの電気部品が装飾枠６０に配設されているので、光や表示を伴う優れた視覚的効果を発揮することができる。また、装飾枠６０がガラス扉枠４から立ち上がる構造を有しているため、装飾枠６０上の電気部材と本体枠３等に設けられた電源や制御部等との電気的接続を図る配線を設けるためのスペース確保が容易である。また、装飾枠６０が四方連携状に形成されているので、配線引き回しの自由度が高く、例えば、配線のユニット化を図ることも可能となる。
【００７１】
また、合成樹脂からなる装飾枠本体６０Ａが、強度の高い鋼材やアルミニウム等の金属からなるフレーム状のベース部材６０Ｂによって支持される構造の採用により強度が向上されるため、装飾枠本体６０Ａにおいて様々な形状を有する大型の立体的装飾の形成が可能となる。
【００７２】
また、ガラス扉枠４と装飾枠６０の張出し部６１とが前後に重層した視覚的効果に優れた立体的装飾を形成することができる。また、張出し部６１によって立体的構造が形成されることにより、各種部材の配設スペースを拡大することができる。すなわち、装飾枠６０の張出し部６１とガラス扉枠４との間に形成される空間部６１ｈ内を、遊技領域１４を臨む窓部４１の一部や各種部材の配設スペースとして活用しつつ、前方へ立体的に設けられた張出し部６１に表示部や音声出力部等の各種部材を配設することができるので、遊技機前面における各種部材の配設スペースを確実に拡大することができる。また、張出し部６１の空間部６１ｈを通して下方に光が取り込まれるので、張出し部６１の下方が暗くなって遊技に支障を来たすことが防止される。また、張出し部６１が装飾枠６０の左右両端に跨って設けられるアーチ状に形成されているので、大型の立体的装飾を形成することができると共に、各種部材の配設スペースを大幅に拡大することができる。
【００７３】
また、パチンコ機１を床面に載置した際に、左右一対の脚状部６７ａ，６７ａがゴム部材６７ｃ、６７ｃにて床面に当接しているので、装飾枠６０をより強固に支持することができ、変形や破損が生じることをより一層確実に防止することができる。さらに、脚状部６７ａ，６７ａの下面に弾性体としてのゴム部材６７ｃ、６７ｃが設けられているので、より安定して装飾枠６０を支持することができると共に、遊技機島台の載置面の段差を吸収することができる。
【００７４】
そして、ダイナミックな遊技を実現するために遊技球が打ち込まれる遊技領域の大型化に対する要求が高いパチンコ遊技機において、遊技領域の大型化と遊技機前面における装飾の充実とを同時に図ることが可能となるという効果が奏される。
【００７５】
次に、本発明の第二の実施形態について、図１５乃至図２０を参照しつつ説明する。第二の実施形態は、複数種類の図柄が表示された複数の回転リールを有し、各回転リールの回転停止時の図柄の組合わせに基づく入賞態様に応じて遊技球が払い出されるパチロット遊技機（以下、単に「パチロット機」と称する）である。本実施形態のパチロット機１０１は、図１５に示すように、正面側に開口すると共に、複数種類の図柄が表示された図示しない複数（３個）の回転リールが収容される本体枠１２０と、本体枠１２０の前面を覆うように左右に開閉可能に取り付けられ、ガラス板１４３ａが装着されて各回転リールの図柄を視認可能とされた表示窓１４３を有する合成樹脂製のフロントパネル１４０と、フロントパネル１４０前面の大部分を覆うように上下に開閉自在に設けられる装飾パネル１６０とを備えている。本体枠１２０前面下部には、合成樹脂、具体的にはＡＢＳ樹脂からなり、前方へ突出形成された左右一対の脚状部１６７ａ，１６７ａを有する下部装飾部材１６７が取り付けられている。尚、フロントパネル１４０が本発明の窓枠を、装飾パネル１６０が装飾枠を、脚状部１６７ａ，１６７ａが本体延設部をそれぞれ構成するものである。また、装飾パネル１６０を除き、本体枠１２０及びフロントパネル１４０を主要構成とするパチロット機１０１の全ての部分が、本発明の遊技機本体を構成するものである。また、本実施形態では、３個の回転リールにおいて表示窓１４３から視認される領域が遊技領域１１４である。
【００７６】
また、フロントパネル１４０の前面には、上部の左右に音声出力部１５９，１５９、払い出された遊技球を貯留する上皿１４４、払い出された遊技球又は上皿１４４より誘導された遊技球を受けて貯留する下皿１７０等が設けられている。音声出力部１５９には、図示しない接続コードを介して音声制御基板と電気的に接続されたスピーカ本体１５９ａが収納されている。また、音声出力部１５９においてスピーカ本体１５９ａの前面を覆うカバー１５９ｂには多数の小孔１５９ｃが形成されており、スピーカ本体１５９ａから出力される音声が遊技者から聞こえやすくなっている。上皿１４４の上面には、各回転リールの回転停止時の図柄の組合わせに基づく入賞態様に応じてフロントパネル１４０の払出し口１４５より払い出された遊技球及び遊技者により投入された遊技球を貯留する貯留部１４４ａ、払出し口１４５より払い出された遊技球を貯留部１４４ａへ流入させる流入口１４４ｌ、及び貯留部１４４ａに貯留された遊技球をフロントパネル１４０の供給穴１４９を通して本体側へ供給する供給口１４４ｒが設けられている。
【００７７】
装飾パネル１６０は、合成樹脂の成形加工により四方連携状に形成され且つ背面の各コーナー近傍（４箇所）に立脚部１６０ｆが突設された装飾パネル本体１６０Ａと、鋼材やアルミダイキャスト等の金属材料によりフロントパネル１４０の表示窓１４３を囲むフレーム状に形成され且つ装飾パネル本体１６０Ａの立脚部１６０ｆに取り付け固定されるベース部材１６０Ｂとを備え、フロントパネル１４０の表示窓１４３の隠蔽を回避しつつ、フロントパネル１４０の前側表面の略全域を立ち上がった状態で覆うよう構成されている。また、図１７（ａ）は、ベース部材１６０Ｂを示す正面図である。尚、装飾パネル本体１６０Ａは、図１６で点線により示される背面の各コーナー近傍（４箇所）に突設された立脚部１６０ｆにおいてベース部材１６０Ｂ前面に固定される。具体的には、装飾パネル本体１６０Ａの各立脚部１６０ｆにネジ孔１６０ｇが形成され、ビス１６０ｈを背面側からベース部材１６０Ｂの各コーナー（４箇所）に形成された取り付け孔１６０ｅを通してネジ孔１６０ｇに螺着することによって装飾パネル本体１６０Ａがベース部材１６０Ｂに固定される（図１７（ｂ）参照）。装飾パネル本体１６０Ａは、フロントパネル１４０の表示窓１４３より上方部分を覆う張出し部１６１と、フロントパネル１４０の表示窓１４３より下方部分を覆う膨出部１６３及び１６４とを備え、張出し部１６１と膨出部１６３及び１６４とが左右両側で上下に連結されて一体化された構造を有している。
【００７８】
より具体的に説明すると、装飾パネル本体１６０Ａ上部には、前方へ張り出し状に形成され且つフロントパネル１４０との間に空間部１６１ｈを有してフロントパネル１４０の前面上部を覆うように張出し部１６１が設けられ、張出し部１６１より後方へ左右一対の取り付け片１６２が延設されている。張出し部１６１は、音声出力部１５９，１５９を左右方向に跨ぐアーチ状の外観を呈しており、中央では前方に数ｃｍ〜十数ｃｍ程度張り出している。一対の取り付け片１６１には、折り曲げ板形状のヒンジ１６５がそれぞれ取り付けられており、装飾パネル１６０はヒンジ１６５を介して本体枠１２０に対して水平軸心回りに（すなわち、上下に）開閉自在に枢着されている。ここで、図１６は、装飾パネル１６０を本体枠１２０側へ閉じた状態を、図１８は、装飾パネル１６０を上方へ開放して水平姿勢とされた状態を示している。
【００７９】
張出し部１６１前面の中央には情報表示部１５７が配設されている。尚、図１９は、張出し部１６１付近を示す正面図であり、図２０は、図１９におけるＣ−Ｃ線断面及び張出し部１６１と遊技者との位置関係を示す側面図である。情報表示部１５７は、横長の長方形状を呈する液晶ディスプレイからなり、通信回線３０５を介してホールサーバ３０４から受信した表示用データに基づいて画面表示を行う。また、空間部１６１ｈ内で音声出力部１５９，１５９から音声が出力されて、音声が必要以上に周囲に広がらないので、当該遊技者には音声が明瞭に聴取され且つ周囲の遊技者には聴取されにくい。
【００８０】
装飾パネル本体１６０Ａの略中央には、長方形状の窓部用開口部１６０ａが形成され、フロントパネル１４０の表示窓１４３に装着されたガラス板１４３ａを介して回転リールの遊技領域１１４を視認可能となっている。窓用開口部１６０ａの下方には、上皿１４４前面を覆うように前方へ膨出形成された膨出部１６３が設けられている。膨出部１６３は、図１６，１７に示すように、装飾枠１６０がフロントパネル１４０に対して閉じた際に上皿１４４を収容可能な空間が内部に形成されつつ、所望形状で前側（遊技者側）に膨出形成されたものであり、上皿１４４上面を開口させる上皿用開口部１６３ａが形成されている。この上皿用開口部１６３ａにより、上皿１４４に貯留された遊技球を取り出したり、或いは上皿１４４の貯留部に遊技球を補充したりすることができる。膨出部１６３の下方には、下皿１７０前面を覆うように前方へ膨出形成された膨出部１６４が設けられている。膨出部１６４は、図１５，１６に示すように、装飾枠１６０がフロントパネル１４０に対して閉じた際に下皿１７０を収容可能な空間が内部に形成されつつ、所望形状で前側に膨出形成されたものであり、下皿１７０上面を開口させる下皿用開口部１６４ａが形成されている。この下皿用開口部１６４ａにより、下皿１７０に貯留された遊技球を取り出すことができる。装飾パネル１６０を本体枠１２０に対して閉じた際に、膨出部１６４下面が本体枠１２０下部前面の左右に設けられた脚状部１６７ａ，１６７ａにてそれぞれ当接支持される。
【００８１】
また、膨出部１６３の上面には、クレジットされている遊技球を投入するためのベットスイッチ１４６ａや、クレジットされている遊技球を払い出すためのキャンセルスイッチ１４６ｂが設けられている。また、膨出部１６３の前面は操作部１４７となっており、回転リールの回転起動操作を行うスタートレバー１４７ａ、及び左・中・右の回転リールにそれぞれ対応して設けられたストップスイッチ１４７ｂが設けられている。また、窓部用開口部１６０ａを挟む両側や、膨出部１６３前面には装飾ランプ１４２が配設されている。
【００８２】
次に、上述したパチロット機１０１を用いた情報提供システム３０１のシステム構成について、図２４を参照しつつ説明する。情報提供システム３０１は、図２４に示すように、遊技ホール外の情報提供センタ等に設けられる情報サーバ３０２と、情報サーバ３０２が接続されたインターネット網３０３と、遊技ホール側に設けられてインターネット網３０３に接続されたホールサーバ３０４と、遊技ホール内に設けられた通信線３０５と、遊技ホール内に設置されて通信線３０５を介してホールサーバ３０４と接続された複数のパチロット機１０１，・・１０１とから構成される。
【００８３】
情報サーバ３０２には、各種情報の表示用データが記憶されており、当該記憶された表示用データを、インターネット網３０３を介して各遊技ホールのホールサーバ３０４に対して定期的に配信する。情報サーバ３０２によって配信される表示用データは、地域の飲食店情報等の広告情報、ニュース、天気予報等である。ホールサーバ３０４は、インターネット網３０３を介して表示用データを受信して内部の記憶装置に記憶する。また、ホールサーバ３０４は、遊技ホールにおいて入力された表示用データをも記憶装置に記憶する。尚、遊技ホールにおいて入力される表示用データは、新台入れ替え情報、遊技機の新機種情報、景品情報、遊技ホールからのお知らせ等である。そして、ホールサーバ３０４は、記憶した表示用データを通信回線３０５を介して所定のタイミングで各パチロット機１０１へ送信する。各パチロット機１０１において、情報表示部１５７が受信した表示用データに基づいて画面表示を行う。図２５は、情報表示部１５７において、新台入れ替え情報を表示した例を示している。
【００８４】
以上詳述したことから明らかなように、本実施形態によれば、装飾パネル１６０を本体枠１２０側へ閉じることにより、装飾パネル１６０の膨出部１６４下面が下部装飾部材１６７の脚状部１６７ａ，１６７ａにて当接支持される支持構造が形成されるので、簡単な構造で確実に膨出部１６４の強度（特に、下向きの力に対する強度）を高めることができる。よって、遊技者が膨出部１６４に手を置く等の動作を行った場合にも膨出部１６４が破損することを防止できる。さらに、膨出部１６４に掛かる荷重が支持構造を介して本体側（本体枠１２０）にて分担されるため、装飾パネル１６０の本体枠１２０に対する取り付け部分に過大な荷重が掛かることが防止され、ヒンジ１６５が破損することを防止することができる。また、上述した支持構造によって強度が増大されることにより、装飾パネル１６０において膨出部１６４やその他の立体的装飾をさらに大型化することが可能となり、これにより優れた視覚的効果が発揮される。具体的には、遊技ホールにおいて遊技者の興味を惹きつけて当該パチロット機１０１の選択を促したり、遊技の雰囲気を盛り上げる等の効果を発揮することが期待される。尚、下部装飾部材１６７の左右に設けられた脚状部１６７ａ，１６７ａの中間に空間が形成されるため、遊技球を貯留するための貯留箱（いわゆるドル箱）を遊技機島台上でパチロット機１０１の手前中央に載置することができる。
【００８５】
また、装飾枠パネル１６０がフロントパネル１４０側へ突設された立脚部１６０ｆを有するので、装飾パネル１６０がフロントパネル１４０から立ち上がった構造が形成され、フロントパネル１４０と装飾パネル１６０との二段構成からなる立体的装飾を容易に形成することができる。そして、装飾領域が拡大されることにより、遊技ホールにおいて遊技者の注目を集めたり、遊技の雰囲気を盛り上げる等の効果が発揮される。また、装飾パネル１６０が四方連携状に形成されることによって、遊技機前面の少なくとも一部を構成する装飾パネル１６０において強度を確保することができるので、製品輸送やホール設置に伴う作業負荷や遊技ホールで遊技者が装飾枠に手を置いたり乱暴な扱いをするなどの行為によって装飾パネル１６０が破損することを確実に防止可能である等、第一の実施形態と略同様の効果を奏する。
【００８６】
また、フロントパネル１４０の前面にて前方へ張り出し且つフロントパネル１４０との間に空間部１６１ｈを有する張出し部１６１を備えた装飾パネル１６０を設けることにより、フロントパネル１４０前面に立体的構造を形成して各種部材の配設スペースを拡大することができる。また、情報表示部１５７がフロントパネル１４０の前面にて前方へ張り出す装飾パネル１６０の張出し部１６１に配設されているので、より遊技者に近い位置で見易い画面表示を行うことができる。特に、情報表示部１５７は、情報サーバ３０２からインターネット網３０３を介して配信された表示用データや遊技ホールにおいて入力された広告宣伝情報、ニュース、お知らせ等に関する表示用データをホールサーバ３０４より受信して画面表示することができる。
【００８７】
次に、本発明の第三の実施形態について、図２１乃至図２３を参照しつつ説明する。尚、第二の実施形態で説明した図２４に示す情報提供システム３０１は、第三の実施形態においても共通に用いられるものとする。第三の実施形態の遊技機であるスロットマシン２０１は、図２１及び図２２に示すように、正面側に開口すると共に、複数種類の図柄が表示された複数（３個）の回転リール２２１が収容される本体キャビネット２２０と、本体キャビネット２２０の前面を覆うように左右に開閉可能に取り付けられ、各回転リール２２１の図柄を視認可能な表示窓２４３を設けたフロントパネル２４０と、フロントパネル２４０前面の大部分を覆うように上下に開閉自在に設けられる装飾パネル２６０とを備えている。本体キャビネット２２０前面下部には、合成樹脂、具体的にはＡＢＳ樹脂からなり、前方へ突出形成された左右一対の脚状部２６７ａ，２６７ａを有する下部装飾部材２６７が取り付けられている。また、本体キャビネット２２０が本発明の本体枠を、フロントパネル２４０が窓枠を、装飾パネル２６０が装飾枠を、脚状部２６７ａ，２６７ａが本体延設部をそれぞれ構成するものである。また、装飾パネル２６０を除き、本体キャビネット２２０及びフロントパネル２４０を主要構成とするスロットマシン２０１の全ての部分が、本発明の遊技機本体を構成するものである。また、本実施形態では、３個の回転リール２２１において表示窓２４３から視認される領域が遊技領域２１４である。
【００８８】
本体キャビネット２２０は、天板、左右の側板、底板、裏板などから構成され、例えば、薄板板金素材を切断、孔あけ、曲げ加工等して所定のパネル形状に加工した後、これ等の部材を溶接して図示する正面側に開口する箱状に形成される。
【００８９】
フロントパネル２４０は、合成樹脂の成型加工によって、本体キャビネット２２０の開口部分を覆う扉状に形成される。フロントパネル２４０には、本体キャビネット２２０に収容された左・中・右の回転リール２２１の前面側に対向する位置に、ガラス板２４３ａが嵌め込まれた表示窓２４３が設けられ、各回転リール２２１に表示された図柄が視認可能となっている。フロントパネル２４０上部には、情報表示部２５７が配設されている。情報表示部２５７は、横長の長方形状を呈する大型の液晶ディスプレイからなり、通信回線３０５を介してホールサーバ３０４から受信した表示用データに基づいて画面表示を行う（図２４、２５参照）。フロントパネル２４０の高さ方向略中央部分は前方へ突出状に形成され、上面に遊技メダルを投入するためのメダル投入口２４６が設けられている。
【００９０】
フロントパネル２４０の下部には、各回転リール２２１の回転停止時の図柄の組合わせに基づく入賞態様に応じて払い出された遊技メダルを受けて貯留するメダル受皿２７０が設けられている。メダル受皿２７０は、合成樹脂の成型加工により上面が開口する箱状に形成されている。
【００９１】
装飾パネル２６０は、合成樹脂の成形加工により四方連携状に形成され且つ背面の各コーナー近傍（４箇所）に立脚部２６０ｆが突設された装飾パネル本体２６０Ａと、鋼材やアルミダイキャスト等の金属材料によりフロントパネル２４０の表示窓２４３を囲むフレーム状に形成され且つ装飾パネル本体２６０Ａの立脚部２６０ｆに取り付け固定されるベース部材２６０Ｂとを備え、フロントパネル２４０の表示窓２４３の隠蔽を回避しつつ、フロントパネル２４０の前側表面の略全域を立ち上がった状態で覆うよう構成されている。ベース部材２６０Ｂは、図１７に示す第二の実施形態におけるベース部材１６０Ｂと同様の形状を呈しており、装飾パネル本体２６０Ａはベース部材２６０Ｂの各コーナー（４箇所）に形成された取り付け孔を介して図示しないビス等によってベース部材２６０Ｂ前面に固定される。装飾パネル本体２６０Ａは、フロントパネル２４０の表示窓２４３より上方部分を覆う張出し部２６１と、フロントパネル２４０の表示窓２４３より下方部分を覆う膨出部２６３及び２６４とを備え、張出し部２６１と膨出部２６３及び２６４とが左右両側で上下に連結されて一体化された構造を有している。
【００９２】
より具体的に説明すると、装飾パネル本体２６０Ａの上部には、前方へ張り出し状に形成され且つフロントパネル２４０との間に空間部２６１ｈを有してフロントパネル２４０の前面上部を覆う張出し部２６１が設けられ、張出し部２６１より後方へ左右一対の取り付け片２６２が延設されている。張出し部２６１は、情報表示部２５７の上部を左右方向に跨ぐアーチ状の外観を呈しており、中央では前方に数ｃｍ〜十数ｃｍ程度張り出している。一対の取り付け片２６２には、折り曲げ板形状のヒンジ２６５がそれぞれ取り付けられており、装飾パネル２６０はヒンジ２６５を介して本体キャビネット２２０に対して水平軸心回りに（すなわち、上下に）開閉自在に枢着されている。ここで、図２２は、装飾パネル２６０を本体キャビネット２２０側へ閉じた状態を、図２３は、装飾パネル２６０を上方へ開放して水平姿勢とされた状態をそれぞれ示している。装飾パネル２６０前面には、複数の発光ダイオード（ＬＥＤ）２６１ｂを左右方向に整列させて配設した電飾部２６１ａが全体に亘って形成されている。尚、ＬＥＤに代えて、多数の電球を配設することにより電飾部２６１ａを構成してもよい。
【００９３】
装飾パネル本体２６０Ａの略中央には、長方形状の窓部用開口部２６０ａが形成され、フロントパネル２４０の表示窓２４３に装着されたガラス板２４３ａを介して各回転リール２２１の遊技領域２１４を視認可能となっている。窓部用開口部２６０ａの下方には、前方に突出する台状の膨出部２６３が設けられている。この膨出部２６３の上面には、クレジットされている遊技メダルを投入するためのベットスイッチや、クレジットされているメダルを払い出すためのキャンセルスイッチ等を含む各種スイッチ２６３ａが設けられている。また、メダル投入口２４６に対応する箇所には開口が形成され、装飾パネル２６０が本体キャビネット２２０側へ閉じた状態でメダル投入口２４６が露出するようになっている。また、膨出部２６３の前面には、回転リール２２１の回転起動操作を行うスタートレバー２６３ｂ、及び左・中・右の回転リール２２１にそれぞれ対応して設けられたストップスイッチ２６３ｄが設けられている。また、フロントパネル２４０上下方向中央に設けられた膨出部２６３の下方の領域には、機種名称等が描かれた化粧パネル２６６が取り付けられている。
【００９４】
装飾パネル本体２６０Ａの下部には、メダル受皿２７０前面を覆うように前方へ膨出形成された膨出部２６４が設けられている。膨出部２６４は、図２２，２３に示すように、装飾枠２６０がフロントパネル２４０に対して閉じた際にメダル受皿２７０を収容可能な空間が内部に形成されつつ、所望形状で前側に膨出形成されたものであり、メダル受皿２７０上面を開口させるメダル受皿用開口部２６４ａが形成されている。このメダル受皿用開口部２６４ａにより、メダル受皿２７０に貯留された遊技メダルを取り出すことができる。装飾パネル２６０を本体キャビネット２２０に対して閉じた際に、膨出部２６４下面が本体キャビネット２２０下部前面の左右に設けられた脚状部２６７ａ，２６７ａにてそれぞれ当接支持される。
【００９５】
以上詳述したことから明らかなように、本実施形態によれば、装飾パネル２６０を本体キャビネット２２０側へ閉じることにより、装飾パネル２６０の膨出部２６４下面が下部装飾部材２６７の脚状部２６７ａ，２６７ａにて当接支持される支持構造が形成されるので、簡単な構造で確実に膨出部２６４の強度（特に、下向きの力に対する強度）を高めることができる。よって、遊技者が膨出部２６４に手を置く等の動作を行った場合にも膨出部２６４が破損することを防止できる。さらに、膨出部２６４に掛かる荷重が支持構造を介して本体側（本体キャビネット２２０）にて分担されるため、装飾パネル２６０の本体キャビネット２２０に対する取り付け部分に過大な荷重が掛かることが防止され、ヒンジ２６５が破損することを防止することができる。また、上述した支持構造によって強度が増大されることにより、装飾パネル２６０において膨出部２６４やその他の立体的装飾をさらに大型化することが可能となり、これにより優れた視覚的効果が発揮される。具体的には、遊技ホールにおいて遊技者の興味を惹きつけて当該スロットマシン２０１の選択を促したり、遊技の雰囲気を盛り上げる等の効果を発揮することが期待される。尚、下部装飾部材２６７の左右に設けられた脚状部２６７ａ，２６７ａの中間に空間が形成されるため、遊技メダルを貯留するための貯留箱（いわゆるドル箱）を遊技機島台上でスロットマシンの手前中央に載置することができる。
【００９６】
また、装飾枠パネル２６０がフロントパネル２４０側へ突設された立脚部２６０ｆを有するので、装飾パネル２６０がフロントパネル２４０から立ち上がった構造が形成され、フロントパネル２４０と装飾パネル２６０との二段構成からなる立体的装飾を容易に形成することができる。そして、装飾領域が拡大されることにより、遊技ホールにおいて遊技者の注目を集めたり、遊技の雰囲気を盛り上げる等の効果が発揮される。また、装飾パネル２６０が四方連携状に形成されることによって、遊技機前面の少なくとも一部を構成する装飾パネル２６０において強度を確保することができるので、製品輸送やホール設置に伴う作業負荷や遊技ホールで遊技者が装飾枠に手を置いたり乱暴な扱いをするなどの行為によって装飾パネル２６０が破損することを確実に防止可能である等、第一又は第二の実施形態と略同様の効果を奏する。
【００９７】
また、フロントパネル２４０の前面にて前方へ張り出し且つフロントパネル２４０との間に空間部２６１ｈを有する装飾パネル２６０を備えることにより、大型の情報表示部２５７をフロントパネル２４０前面上部に配設する構成を採用しつつ、フロントパネル２４０前面に立体的構造を形成して各種部材の配設スペースを拡大することができる。また、遊技者の目に付きやすく且つ立体的構造を有する装飾パネル２６０に複数のＬＥＤ２６１ｂを有する電飾部２６１ａが形成されているので、光による効果的な演出を行うことにより遊技の興趣を増大させることができる。また、フロントパネル２４０前面のスペースが小さい場合でも、装飾パネル２６０上に大型の電飾部２６１ａを構成することができる。
【００９８】
尚、本発明は上述した各実施の形態に限定されるものではなく、本発明の主旨を逸脱しない範囲で種々の変更を施すことが可能である。例えば、前記第一の実施形態では、図柄変動表示装置５７を液晶ディスプレイにより構成したが、図柄変動表示装置５７をＥＬディスプレイ（ＥＬは、エレクトロルミネッセントの略）により構成してもよい。本変形例によれば、図柄変動表示装置５７が高輝度で見易い画面表示を行うことができる。尚、図柄変動表示装置５７を可撓性を有する材質からなるＥＬディスプレイにより構成する場合、ＥＬディスプレイを曲面状に配設する構成としてよい。本変形例によれば、外部からの光の写り込みが防止されて図柄変動表示装置５７における画面表示の視認がより一層容易となる。
【００９９】
或いは、図柄変動表示装置５７をＬＥＤディスプレイにより構成してもよい。本変形例によれば、図柄変動表示装置５７が安価な構成で見易い画面表示を行うことができる。さらに、第二の実施形態において、情報表示部１５７をタッチパネル式ディスプレイにより構成してもよい。本変形例によれば、遊技者が指で情報表示部１５７の表面に触れることによって容易に各種の入力操作を行うことができる。入力操作としては、表示したい情報の選択入力を行えるようにしてもよいし、タッチパネル式ディスプレイ上に球貸しボタン等を設けて貸し球操作部を構成するようにしてもよい。さらに、情報表示部１５７の両端を回転自在に支持して、情報表示部１５７が所定の傾斜角となるように上下に回動可能に配設してもよい。本変形例によれば、情報表示部１５７が遊技者の視線方向となるように傾斜角を調整可能であるので、遊技者は、より一層容易に画面表示を視認することができる。
【０１００】
また、前記第一の実施形態において、図２６に示す第一の変形例のように、装飾枠６０の上辺部から下辺部まで連続的に電飾部材としての多数個の発光ダイオード６２’を配設する構成としてもよい。本変形例によれば、遊技機１前面に連続的で視覚的効果に優れた立体的装飾を形成することができる。
【０１０１】
また、前記第一の実施形態では、上皿５４の上面を開放して遊技球を投入可能に構成されたパチンコ遊技機に本発明を適用した例を示したが、上皿５４の上面がカバー部材で封鎖された構造或いは上皿を設けることなく発射装置へ遊技球が供給される構造を有し且つ獲得された賞球数がポイントカードに書き込まれるように構成された封入式と称されるパチンコ遊技機に本発明を適用してもよい。
【０１０２】
また、前記第一の実施形態では、上皿５４がガラス扉枠４に一体的に設けられる構成としたが、上皿５４が本体枠３側に設けられる構成としてもよい。本変形例によれば、貯留された遊技球によって大きな重量がかかる上皿５４が、装飾枠６０側ではなく本体枠３側に設けられているので、装飾枠６０の強度をあまり高く設定する必要がない。また、上方に開放される装飾枠６０には上皿５４が設けられていないので、上皿５４内に貯留された遊技球が装飾枠６０開放時にこぼれ落ちる事態は発生しない。
【０１０３】
また、前記各実施形態では、装飾枠６０（装飾パネル１６０，装飾パネル２６０）が本体枠２（本体枠１２０，本体キャビネット２２０）に対して上方へ開放されるように構成したが、下方へ開放されるように構成してもよい。例えば、装飾枠６０等の下端をヒンジを介して本体枠２等の下部に取り付けて水平軸心回りに開閉自在に枢着してもよい。本変形例によれば、隣の遊技者の邪魔にならずに装飾枠６０等を大きく下方へ開放した状態で、本体枠２等の遊技領域に対するメンテナンス作業等を行うことができる。
【０１０４】
前記第一の実施形態では、装飾枠６０を装飾枠本体６０Ａとベース部材６０Ｂとから構成したが、図２７乃至２９に示す第二の変形例のように、ベース部材６０Ｂを省略して装飾枠本体６０Ａのみにより装飾枠６０を構成してもよい。第二の変形例では、図２７に示すように、図柄変動表示装置５７が装飾枠本体６０Ａの上部中央に、貸球操作部４６が装飾枠本体６０Ａの窓部用開口部６０ｂ下方にそれぞれ設けられている。また、図２８，２９に示すように、装飾枠本体６０Ａ背面の各コーナー近傍（４箇所）に立脚部６０ｆが突設されており、装飾枠本体６０Ａをガラス扉枠４側へ閉じることにより（図２９参照）、立脚部６０ｆがガラス扉枠４前面に当接するので、装飾枠本体６０Ａはガラス扉枠４から立ち上がった状態で、窓部４１を除くガラス扉枠４前面の略全域を覆う構造が形成される。
【０１０５】
前記第一の実施形態では、装飾枠６０を本体枠２に対して開閉可能に取り付ける構成としたが、図３０に示す第三の変形例のように、装飾枠６０をガラス扉枠４前面に固定する構成としてもよい。すなわち、第三の変形例は、装飾枠６０と本体枠２とを連結するためのヒンジ６５を設けず、立脚部６０ｆにおいてビス６０ｉを用いて装飾枠本体６０Ａをガラス扉枠４前面に固定する構成としたものである。本変形例においても、装飾枠本体６０Ａはガラス扉枠４から立ち上がった状態で、窓部４１を除くガラス扉枠４前面の略全域を覆う構造が形成される。
【０１０６】
また、図３１に示す第四の変形例のように、下部装飾部材６７の左右一対の脚状部６７ａ，６７ａに、遊技球を貯留するための貯留箱を下皿５３の真下位置に案内する案内部６７ｄ，６７ｄを形成する構成としてもよい。本変形例によれば、貯留箱が左右両側で案内部６７ｄ，６７ｄに当接して案内されるので、遊技者は貯留箱を遊技機島台上で下皿５３の真下位置へ容易に位置決めして載置することができる。
【０１０７】
また、前記第一の実施形態では、装飾枠６０の膨出部６３より延設された装飾枠延設部６４，６４と外枠２より延設された本体延設部としての脚状部６７ａ，６７ａとが互いに当接することにより膨出部６３を外枠２にて下方から支持する支持構造としたが、図３２に示す第五の変形例のように、本体枠３より前方に本体延設部３ａ，３ａを延設して膨出部６３より延設された装飾枠延設部６４，６４と互いに当接することにより膨出部６３を本体枠３にて下方から支持する支持構造としてもよい
【０１０８】
また、図３３に示す第六の変形例のように、装飾枠延設部６４，６４を各々の先端が外枠２に当接するように膨出部６３より延設することにより、膨出部６３が装飾枠延設部６４，６４を介して外枠２にて下方から支持される支持構造としてもよい。或いは、図３４に示す第七の変形例のように、装飾枠延設部６４，６４をそれらの先端が本体枠３に当接するように膨出部６３より延設することにより、膨出部６３が装飾枠延設部６４，６４を介して本体枠３にて下方から支持される支持構造としてもよい。これらの変形例では、外枠２の脚状部６７ａ，６７ａが不要となるので、上述した実施形態よりも簡単な構造となる。
【０１０９】
また、図３５に示す第八の変形例のように、装飾枠延設部６４，６４を省略すると共に、外枠２より膨出部６３下面に向かって本体延設部６７ｅ，６７ｅを延設し、装飾枠６０を本体枠３側へ閉じた際に膨出部６３下面が本体延設部６７ｅ，６７ｅを介して外枠２にて下方から当接支持される支持構造としてもよい。或いは、図３６に示す第九の変形例のように、本体枠３より膨出部６３下面に向かって本体延設部３ａ、３ａを延設し、装飾枠６０を本体枠３側へ閉じた際に膨出部６３下面が本体延設部３ａ、３ａを介して本体枠３にて下方から支持される支持構造としてもよい。これらの変形例も、外枠２の脚状部６７ａ，６７ａが不要となるので、第六又は第七の変形例と同様、上述した実施形態よりも簡単な構造となる。
【産業上の利用可能性】
【０１１０】
本発明は、パチンコ遊技機、スロットマシン、パチロット遊技機等の各種の遊技機に適用可能である。
【符号の説明】
【０１１１】
１    パチンコ遊技機（遊技機）
２    外枠
３    本体枠
３ａ    本体延設部
４    ガラス扉枠（窓枠）
１４    遊技領域
４１    窓部
６０    装飾枠
６３    膨出部
６４    装飾枠延設部
６７ａ  脚状部（本体延設部）
６７ｂ  係合凹部
６７ｃ  ゴム部材（弾性体）
６７ｅ  本体延設部
１０１    パチロット遊技機（遊技機）
１１４    遊技領域
１２０    本体枠
１４０    フロントパネル（窓枠）
１４３    表示窓（窓部）
１６０    装飾パネル（装飾枠）
１６３    膨出部
１６４    膨出部
１６７ａ  脚状部（本体延設部）
２０１    スロットマシン（遊技機）
２１４    遊技領域
２２０    本体キャビネット（本体枠）
２４０    フロントパネル（窓枠）
２４３    表示窓（窓部）
２６０    装飾パネル（装飾枠）
２６３    膨出部
２６４    膨出部
２６７ａ  脚状部（本体延設部）
【図１】
2014240005.tif 000003
【図２】
2014240005.tif 000004
【図３】
2014240005.tif 000005
【図４】
2014240005.tif 000006
【図５】
2014240005.tif 000007
【図６】
2014240005.tif 000008
【図７】
2014240005.tif 000009
【図８】
2014240005.tif 000010
【図９】
2014240005.tif 000011
【図１０】
2014240005.tif 000012
【図１１】
2014240005.tif 000013
【図１２】
2014240005.tif 000014
【図１３】
2014240005.tif 000015
【図１４】
2014240005.tif 000016
【図１５】
2014240005.tif 000017
【図１６】
2014240005.tif 000018
【図１７】
2014240005.tif 000019
【図１８】
2014240005.tif 000020
【図１９】
2014240005.tif 000021
【図２０】
2014240005.tif 000022
【図２１】
2014240005.tif 000023
【図２２】
2014240005.tif 000024
【図２３】
2014240005.tif 000025
【図２４】
2014240005.tif 000026
【図２５】
2014240005.tif 000027
【図２６】
2014240005.tif 000028
【図２７】
2014240005.tif 000029
【図２８】
2014240005.tif 000030
【図２９】
2014240005.tif 000031
【図３０】
2014240005.tif 000032
【図３１】
2014240005.tif 000033
【図３２】
2014240005.tif 000034
【図３３】
2014240005.tif 000035
【図３４】
2014240005.tif 000036
【図３５】
2014240005.tif 000037
【図３６】
2014240005.tif 000038